(57)【要約】【課題】建物の上部構造の浮き上がりを許容するようにした建物の基礎構造の施工性を改善し機能性を高める。【解決手段】建物の基礎１０は、杭１２とフーチング１４とを縁切りして、杭１２の杭頭上面に設けた嵌合凹部１８とフーチング１４の下面に設けた嵌合凸部２０とを互いに嵌合させている。嵌合凹部１８は中心軸が上下方向に延在する円錐台の形状であり、その表面が、杭１２に定着された凹部画成用鋼製部材２４により画成されている。嵌合凸部２０は嵌合凹部１８の形状に対応した、中心軸が上下方向に延在する円錐台の形状であり、その表面が、フーチング１４に定着された凸部画成用鋼製部材３２により画成されている。杭１２とフーチング１４との間に、浮き上がったフーチング１４が杭１２の杭頭に着座する際に発生する衝撃力を緩衝するための砕石層４４が設けられている。【選択図】  図３
2005200876.tif 000002
【特許請求の範囲】
【請求項１】
杭と該杭に支持されたフーチングとを備えた建物の基礎構造において、
前記杭の杭頭上面に設けた嵌合凹部と、前記フーチングの下面に設けた嵌合凸部とを備え、前記嵌合凹部と前記嵌合凸部とが嵌合することで、前記杭と前記フーチングとの間の相対的な水平方向の変位が阻止される一方で、前記建物に所定大きさ以上の転倒モーメントが作用したときには、前記嵌合凹部と前記嵌合凸部とが離れることで、前記フーチングが前記杭の杭頭から浮き上がれるようにしてあり、
前記嵌合凹部は、中心軸が上下方向に延在する円錐台または四角錐台の形状とされ、その表面が、前記杭に定着された凹部画成用鋼製部材により画成されており、
前記嵌合凸部は、前記嵌合凹部の形状に対応した、中心軸が上下方向に延在する円錐台または四角錐台の形状とされ、その表面が、前記フーチングに定着された凸部画成用鋼製部材により画成されており、
前記杭と前記フーチングとの間に、前記杭の杭頭から浮き上がった前記フーチングが前記杭の杭頭に着座する際に発生する衝撃力を緩衝するための緩衝材を設けた、
ことを特徴とする建物の基礎構造。
【請求項２】
前記嵌合凹部と前記嵌合凸部との間に、前記嵌合凹部と前記嵌合凸部とが嵌合した状態においてそれらの間に水が侵入するのを防止するための封止材を設けたことを特徴とする請求項１記載の建物の基礎構造。
【請求項３】
前記フーチングが前記杭の杭頭から浮き上がる際と、浮き上がった前記フーチングが前記杭の杭頭に着座する際とに、前記嵌合凹部の傾斜した側面と前記嵌合凸部の傾斜した側面とが摺接するように、前記嵌合凹部及び前記嵌合凸部の形状を定めたことを特徴とする請求項１記載の建物の基礎構造。
【請求項４】
前記嵌合凹部の傾斜した側面と前記嵌合凸部の傾斜した側面との少なくとも一方に、それら側面が摺接する際に発生する摩擦力を強化するための摩擦材を設けたことを特徴とする請求項３記載の建物の基礎構造。
【請求項５】
前記嵌合凹部と前記嵌合凸部とが嵌合した状態で前記嵌合凹部の底部と前記嵌合凸部の先端部との間にクリアランスが存在するように、前記嵌合凹部及び前記嵌合凸部の形状を定めたことを特徴とする請求項１記載の建物の基礎構造。
【請求項６】
前記杭はコンクリート杭であり、前記凹部画成用鋼製部材は前記杭のコンクリートに定着されており、
前記フーチングは鉄筋コンクリート造のフーチングであり、前記凸部画成用鋼製部材は前記フーチングのコンクリートに定着されている、
ことを特徴とする請求項１記載の建物の基礎構造。
【請求項７】
前記凸部画成用鋼製部材は、円錐台または四角錐台の先端面を画成する底板部と円錐台または四角錐台の側面を画成する側板部とを備えており、前記底板部の上面に上方へ延在する複数の棒状鋼材が固設されており、それら棒状鋼材は前記嵌合凸部の高さを超えて延在して前記フーチングのコンクリートに定着されており、それら棒状鋼材の間に前記フーチング内の鉄筋が配されていることをことを特徴とする請求項６記載の建物の基礎構造。
【請求項８】
前記凸部画成用鋼製部材が、前記フーチングの下面を画成する平板部と、該平板部から下方へ突出した凸部画成部と、該平板部の周縁に立設したフランジ部とを備え、
前記凸部画成用鋼製部材の前記フランジ部が、前記フーチングの側面下縁部を覆っていることを特徴とする請求項６記載の建物の基礎構造。
【請求項９】
前記凹部画成用鋼製部材が、前記杭の杭頭上面を画成する平板部と、該平板部から下方へくぼんだ凹部画成部とを備え、
前記凸部画成用鋼製部材が、前記フーチングの下面を画成する平板部と、該平板部から下方へ突出した凸部画成部とを備え、
前記凹部画成用鋼製部材の平板部と前記凸部画成用鋼製部材の平板部との間に、前記緩衝材を設けたことを特徴とする請求項６記載の建物の基礎構造。
【請求項１０】
前記凹部画成用鋼製部材の平板部と前記凸部画成用鋼製部材の平板部との間に、前記嵌合凹部と前記嵌合凸部とが嵌合した状態においてそれらの間に水が侵入するのを防止するための封止材を設けたことを特徴とする請求項９記載の建物の基礎構造。
【請求項１１】
前記緩衝材が砕石層から成り、該砕石層の砕石が前記嵌合凹部に流入するのを防止するための区画材が前記嵌合凹部の周囲に設けられており、該区画材が鋼材、木材、プラスチック材、または発泡スチロール材から成ることを特徴とする請求項１記載の建物の基礎構造。
【発明の詳細な説明】
【技術分野】
【０００１】
本発明は、建物の基礎構造に関し、より詳しくは、建物の上部構造の浮き上がりを許容するようにした建物の基礎構造に関する。
【背景技術】
【０００２】
地震発生時に建物の基礎に水平方向の加速度が加わると、建物に転倒モーメントが作用する。水平方向の加速度が大きく、建物のアスペクト比（幅に対する高さの比）も大きい場合には、転倒モーメントによって建物の一側が浮き上がろうとする。その結果、例えば杭基礎を採用している建物の場合、建物の浮き上がり側では杭を引き抜こうとする引張荷重が杭に作用し、その反対側では杭を押し込もうとする圧縮荷重が増大する。これらの荷重に耐えられるだけの十分な強度を備えた基礎構造を構築するためには、それに応じたコストが必要であるが、近年、アスペクト比の大きな高層建物が次々と出現するようになったことから、そのコストの増大が著しかった。
【０００３】
そのため、通常は杭頭に固定連結するフーチングを杭頭から縁切りして、大きな転倒モーメントが作用したときには、フーチングから上の建物の上部構造が杭の杭頭から浮き上がれるようにした建物の基礎構造が提案されている（例えば、特許文献１、特許文献２参照）。
また、柱脚で浮き上がる構造として、特許文献３に示されているものがある（例えば、特許文献３参照）。この文献に示されているものは、柱脚に設置した、鋼板の立ち上り部に、水平方向のせん断力抵抗機構を有している。
【特許文献１】特開２０００−２４０３１５号公報
【特許文献２】特開２００３−１２９４９８号公報
【特許文献３】特開２００１−２９５５０２号公報
【発明の開示】
【発明が解決しようとする課題】
【０００４】
しかしながら、これら特許文献に開示されているものをはじめとする、従来提案されていた上部構造の浮き上がりを許容するようにした基礎構造には、施工性及び機能性に関する難点があった。
【０００５】
即ち、この種の基礎構造においては、杭とフーチングとの間の相対的な水平方向の変位を常に阻止しつつ、建物に所定大きさ以上の転倒モーメントが作用したときに、フーチングが杭の杭頭から浮き上がれるようにしなければならないが、地震時に基礎構造に作用する大きな水平方向の加速度に耐えられるだけの強度を確保するためには、フーチング内の鉄筋のとの取合いが問題となり、また、フーチングの浮き上がり及び着座の際の挙動を滑らかにして建物の損傷を最小限に抑えるという目的に適うものではなかった。
【０００６】
本発明は、かかる事情に鑑み成されたものであり、本発明の目的は、建物の上部構造の浮き上がりを許容するようにした建物の基礎構造において、簡明な構造で必要強度を確保できるようにすることで施工性を改善し、フーチングの浮き上がり及び着座の際の挙動を滑らかにし得る構造とすることで機能性を高めることにある。
【課題を解決するための手段】
【０００７】
上記目的を達成するため、本発明に係る杭と該杭に支持されたフーチングとを備えた建物の基礎構造は、前記杭の杭頭上面に設けた嵌合凹部と、前記フーチングの下面に設けた嵌合凸部とを備え、前記嵌合凹部と前記嵌合凸部とが嵌合することで、前記杭と前記フーチングとの間の相対的な水平方向の変位が阻止される一方で、前記建物に所定大きさ以上の転倒モーメントが作用したときには、前記嵌合凹部と前記嵌合凸部とが離れることで、前記フーチングが前記杭の杭頭から浮き上がれるようにしてあり、前記嵌合凹部は、中心軸が上下方向に延在する円錐台または四角錐台の形状とされ、その表面が、前記杭に定着された凹部画成用鋼製部材により画成されており、前記嵌合凸部は、前記嵌合凹部の形状に対応した、中心軸が上下方向に延在する円錐台または四角錐台の形状とされ、その表面が、前記フーチングに定着された凸部画成用鋼製部材により画成されており、前記杭と前記フーチングとの間に、前記杭の杭頭から浮き上がった前記フーチングが前記杭の杭頭に着座する際に発生する衝撃力を緩衝するための緩衝材を設けたことを特徴とする。
【発明の効果】
【０００８】
本発明にかかる建物の基礎構造によれば、互いに嵌合する嵌合凹部と嵌合凸部とを、杭に定着した鋼製部材とフーチングに定着した鋼製部材とで画成し、それら嵌合凹部と嵌合凸部の形状を円錐台または四角錐台の形状としているため、施工性及び機能性に優れた、建物の上部構造の浮き上がりを許容するようにした建物の基礎構造が得られる。
【発明を実施するための最良の形態】
【０００９】
以下に本発明の実施の形態について添付図面を参照して説明する。図１は本発明の第１の実施の形態にかかる建物の基礎構造を採用した基礎の平面図、図２は図１の基礎の断面側面図であってフーチングが杭頭に着座している状態を示した図、図３は図１の基礎の断面側面図であってフーチングが杭頭から浮き上がった状態を示した図である。
【００１０】
図１〜図３に示した本発明の第１の実施の形態にかかる建物の基礎構造を採用した基礎１０は、コンクリート杭１２と、この杭１２に支持された鉄筋コンクリート造のフーチング１４とを備えた、いわゆる杭基礎である。フーチング１４上には柱１６が立設されており、また、フーチング１４は基礎梁１７を介して隣接するフーチング（不図示）と連結されている。ただし、通常の杭基礎のように杭頭とフーチングとが固定連結されておらず、杭１２の杭頭とフーチング１４とは縁切りされている。
【００１１】
図２及び図３から明らかなように、杭１２の杭頭上面には嵌合凹部１８を設け、フーチング１４の下面には嵌合凸部２０を設けてあり、それら嵌合凹部１８と嵌合凸部２０とが嵌合することで、杭１２とフーチング１４との間の相対的な水平方向の変位が阻止されるようにしてある。一方、地震発生時に地盤から建物に水平方向の加速度が加わり、それによって建物に、その建物の設計に応じて定まる所定の大きさ以上の転倒モーメントが作用したときには、建物の浮き上がり側において、図３に示したように嵌合凹部１８と嵌合凸部２０とが離れることで、フーチング１４が杭１２の杭頭から浮き上がれるようにしてある。
【００１２】
杭１２の杭頭に設けた嵌合凹部１８は、中心軸が上下方向に延在する円錐台の形状に形成されている。また、フーチング１４の下面に設けた嵌合凸部２０は、この嵌合凹部１８の形状に対応した、中心軸が上下方向に延在する円錐台の形状に形成されている。
【００１３】
嵌合凹部１８の表面は、杭１２に定着された凹部画成用鋼製部材２４により画成されている。凹部画成用鋼製部材２４は、円錐台の小径側端面である底面を画成する底板部２６と、円錐台の傾斜した側面を画成する側板部２８とを備えており、底板部２６の下面にはスタッドボルト３０が植設され、凹部画成用鋼製部材２４はそれらスタッドボルト３０を介して杭１２のコンクリートに定着されている。
【００１４】
嵌合凸部２０の表面は、フーチング１４に定着された凸部画成用鋼製部材３２により画成されている。凸部画成用鋼製部材３２は、円錐台の小径側端面である先端面を画成する底板部３４と、円錐台の傾斜した側面を画成する側板部３６とを備えており、底板部３６の上面に上方へ延出する複数の棒状鋼材３８が固設されている。棒状鋼材３８はボルトや鉄筋から成るものとすればよく、ナットによる締結や溶接などの適当な方法を用いて凸部画成用鋼製部材３２に連結すればよい。棒状鋼材３８は嵌合凸部２０の高さの２倍を超える長さを有しており、従って嵌合凸部２０の高さを超えて延在している。棒状鋼材３８はフーチング１４のコンクリートに定着されており、それら棒状鋼材３８の間にフーチング１４内の鉄筋（不図示）が配されている。以上によって凸部画成用鋼製部材３２はフーチング１４のコンクリートに強固に定着されている。
【００１５】
この構成によれば、凸部画成用鋼製部材３２の底板部に固設した棒状鋼材３８をフーチング１４内に定着させるようにしているため、フーチング１４の配筋に支障をきたすことがなく、また、地震時に作用する剪断力によって嵌合凸部２０の部分のコンクリートが脆性破壊することがない。
【００１６】
図３から明らかなように、嵌合凹部１８及び嵌合凸部２０の形状は、それらの傾斜した側面の傾斜角を適宜定めることによって、フーチング１４が杭１２の杭頭から浮き上がる際と、浮き上がったフーチング１４が杭１２の杭頭に着座する際とに、嵌合凹部１８の傾斜した側面と嵌合凸部２０の傾斜した側面とが互いに摺接するような形状に定めてある。それらが摺接するようにしているのは、ダンパ効果を得るためであり、摺接状態を良好なものとして好適なダンパ効果が得られるようにするには、以下に説明するように、嵌合凹部１８の側面と嵌合凸部２０の側面との少なくとも一方の表面に、適当な表面材を装備するのがよい。
【００１７】
同じく図３から明らかなように、嵌合凹部１８の傾斜した側面にはその全周に亘って表面材としてのゴム材４０が貼着されている。そして、図２に示したように、嵌合凹部１８と嵌合凸部２０とが嵌合した状態にあるときには、嵌合凸部２０の傾斜した側面が、ゴム材４０の表面に密着している。更に、その密着状態を良好なものとするために、嵌合凹部１８と嵌合凸部２０とが嵌合した状態で、嵌合凹部１８の底部と嵌合凸部２０の先端部との間にクリアランス４２（図２）が存在するようにそれら嵌合凹部１８及び嵌合凸部２０の形状を定めてある。
【００１８】
嵌合凹部１８と嵌合凸部２０との間に設けたゴム材４０は、複数の機能を有する部材である。先ず第１に、ゴム材４０は、嵌合凹部１８と嵌合凸部２０とが嵌合した状態において、それらの間に水が侵入するのを防止するための封止材としての機能を果たしており、それによって凹部画成用鋼製部材２４の腐蝕劣化を防止している。
【００１９】
第２に、ゴム材４０は摩擦材としての機能を果たしている。先に述べたように、フーチング１４が杭１２の杭頭から浮き上がる際と、浮き上がったフーチング１４が杭１２の杭頭に着座する際とに、嵌合凹部１８の傾斜した側面と嵌合凸部２０の傾斜した側面とが摺接するようにしてある。そして、その際に、嵌合凹部１８に貼着したゴム材４０の表面と嵌合凸部２０の表面とが摺接することで発生し、係合凹部１６と係合凸部１８との間に作用する摩擦力によって、ダンパ効果が得られる。更に、これに関しては、上で述べたように、ゴム材４０が貼着されていることにより摺接状態が良好なものとなるという効果も併せて得られる。
【００２０】
第３に、ゴム材４０は緩衝材としての機能を果たしている。即ち、地震発生時に杭１２の杭頭から浮き上がったフーチング１４が、杭１２の杭頭に着座する際に発生する衝撃力が、杭１２とフーチング１４との間に設けられているゴム材４０によって緩衝される。
【００２１】
図１〜図３に示した実施の形態では、ゴム材４０の他に、もう１つの緩衝材が杭１２とフーチング１４との間に設けられており、この緩衝材は、嵌合凹部１８の周囲に設けられた砕石層４４から成る。更に、嵌合凹部１８の周囲には、地震時に浮き上がりが発生した際に砕石層４４の砕石が嵌合凹部１８に流入するのを防止するための円環状の区画材４８が設けられており、この区画材４８は鋼材、木材、プラスチック材、または発泡スチロール材などで形成することができる。浮き上がったフーチング１４が着座する際には、この砕石層４４によっても、衝撃力が緩衝される。
【００２２】
以上に説明した第１の実施の形態の構成において、嵌合凹部１８及び嵌合凸部２０の形状を、円錐台の形状とせずに、四角錐台の形状とすることも可能である。即ち、嵌合凹部１８を、中心軸が上下方向に延在する四角錐台の形状に形成し、嵌合凸部２０を、この嵌合凹部１８の形状に対応した、中心軸が上下方向に延在する四角錐台の形状に形成してもよい。また、そうした場合にも、それら嵌合凹部及び嵌合凸部の表面を夫々に鋼製部材で画成し、それら鋼製部材を、上に説明した鋼製部材２４、３２と同様の構造として杭及びフーチングに定着すればよい。
【００２３】
また、以上の構成では、ゴム材４０を嵌合凹部１８の側に貼着してあるが、このゴム材４０を嵌合凸部２０の側に貼着するようにしてもよく、また嵌合凹部１８と嵌合凸部２０の両方に夫々ゴム材を貼着するようにしてもよい。更に、ゴム材４０に替えて、ゴム以外の適当な材料で形成した部材を使用するようにしてもよい。
【００２４】
次に、本発明の第２の実施の形態にかかる建物の基礎構造について説明する。図４は本発明の第２の実施の形態にかかる建物の基礎構造を採用した基礎の平面図、図５は図４の基礎の断面側面図であってフーチングが杭頭に着座している状態を示した図、図６は図４の基礎の断面側面図であってフーチングが杭頭から浮き上がった状態を示した図である。
【００２５】
図４〜図６に示した本発明の第２の実施の形態にかかる建物の基礎構造を採用した基礎１０’は、そのかなりの部分が図１〜図３に示した基礎１０と同様に構成されており、対応する部分には同一の参照符号を付してある。図４〜図６の基礎１０’は、図１〜図３の基礎１０と同じく、コンクリート杭１２と、この杭１２に支持された鉄筋コンクリート造のフーチング１４とを備えた杭基礎であり、フーチング１４上に柱１６が立設され、隣接するフーチングどうしの間は基礎梁１７で連結され、杭１２の杭頭とフーチング１４とは縁切りされている。杭１２の杭頭上面には嵌合凹部１８が、また、フーチング１４の下面には嵌合凸部２０が設けられており、それら嵌合凹部１８と嵌合凸部２０とが嵌合することで、杭１２とフーチング１４との間の相対的な水平方向の変位が阻止されるようにしてある。一方、地震発生時に、建物に、その建物の設計に応じて定まる所定の大きさ以上の転倒モーメントが作用したときには、建物の浮き上がり側において、嵌合凹部１８と嵌合凸部２０とが離れることで、フーチング１４が杭１２の杭頭から浮き上がれるようにしてある。また、嵌合凹部１８は、中心軸が上下方向に延在する円錐台の形状に形成されており、嵌合凸部２０は、この嵌合凹部１８の形状に対応した、中心軸が上下方向に延在する円錐台の形状に形成されている。
【００２６】
図４〜図６の基礎１０’が、図１〜図３の基礎１０と大きく異なるのは、凹部画成用鋼製部材、凸部画成用鋼製部材、及びそれらの間に設けられている緩衝材の構成であり、それらについて以下に詳細に説明する。
【００２７】
図４〜図６の基礎１０’において、嵌合凹部１８の表面は、杭１２に定着された凹部画成用鋼製部材５０により画成されており、この凹部画成用鋼製部材５０は、杭１２の杭頭上面を画成する平板部５２と、この平板部５２から下方へくぼんだ凹部画成部５４とを備えている。更に、凹部画成部５４は、円錐台の小径側端面である底面を画成する底板部５６と、円錐台の傾斜した側面を画成する側板部５８とを備えている。平板部５６の下面には複数のスタッドボルト５８が植設され、凹部画成用鋼製部材５０はそれらスタッドボルト５８を介して杭１２のコンクリートに定着されている。
【００２８】
また、嵌合凸部２０の表面は、フーチング１４に定着された凸部画成用鋼製部材６２により画成されており、この凸部画成用鋼製部材６２は、フーチング１４の下面を画成する平板部６４と、この平板部６４から下方へ突出した凸部画成部６６と、該平板部の周縁に立設したフランジ部６８とを備え、フランジ部６８はフーチング１４の側面下縁部のコンクリートを覆っている。更に、凸部画成部６６は、円錐台の小径側端面である先端面を画成する底板部７０と、円錐台の傾斜した側面を画成する側板部７２とを備えている。平板部６４の上面には複数のスタッドボルト７４が植設されており、凸部画成用鋼製部材６２はそれらスタッドボルト７４を介してフーチング１４のコンクリートに定着されている。
【００２９】
以上の構成によれば、凸部画成用鋼製部材６２が、フーチング１４の下面全域においてこのフーチング１４のコンクリートを覆うと共に、更にフーチング１４の側面下縁部のコンクリートも覆うため、図１〜図３の基礎１０のように長尺の棒状鋼材３８を使用せずとも、凸部画成用鋼製部材６２をフーチング１４に強固に定着させることができ、また、地震時に作用する剪断力によって嵌合凸部２０の部分のコンクリートが脆性破壊するのを防止することができる。更に、スタッドボルト７４は短尺であるため、フーチング１４内に配する鉄筋（不図示）と干渉するおそれもない。
【００３０】
図６から明らかなように、嵌合凹部１８の形状及び嵌合凸部２０の形状は、それら嵌合凹部１８及び嵌合凸部２０の傾斜した側面の傾斜角を適宜定めることによって、フーチング１４が杭１２の杭頭から浮き上がる際と、浮き上がったフーチング１４が杭１２の杭頭に着座する際とに、嵌合凹部１８の傾斜した側面と嵌合凸部２０の傾斜した側面とが摺接するように定めてある。両者が摺接するようにしたのは、ダンパ効果を得るためであり、摺接状態を良好なものとして好適なダンパ効果が得られるようにするには、以下に説明するように、嵌合凹部１８と嵌合凸部２０との少なくとも一方の表面に適当な表面材を装備するとよい。
【００３１】
嵌合凹部１８の傾斜した側面にはその全周に亘って表面材としての第１のゴム材８０が貼着されている。更に、凹部画成用鋼製部材５０の平板部５２で画成された杭１２の杭頭上面には第２のゴム材８２が貼着され、凹部画成用鋼製部材５０の底板部５６で画成された嵌合凹部１８の底面には第３のゴム材８４が貼着されている。そして、図５に示したように、嵌合凹部１８と嵌合凸部２０とが嵌合した状態にあるときには、嵌合凸部２０の傾斜した側面が第１のゴム材４０の表面に密着し、凸部画成用鋼製部材６２の平板部６４で画成されたフーチング１４の下面が第２のゴム材８２の表面に密着し、凸部画成用鋼製部材６２の底板部７０で画成された嵌合凸部２０の先端面が第３のゴム材８４の表面に密着している。
【００３２】
嵌合凹部１８の傾斜した側面に設けた第１のゴム材８０は、第１の実施の形態に係る基礎１０のゴム材４０と同じく、封止材としての機能、摩擦材としての機能、及び緩衝材としての機能を果たしている。また、いずれも水平に延在している第２のゴム材８２及び第３のゴム材８４は、嵌合凹部１８と嵌合凸部２０とが嵌合した状態においてそれらの間に水が侵入するのを防止するための封止材としての機能と、浮き上がったフーチング１４が杭１２の杭頭に着座する際に発生する衝撃力を緩衝するための緩衝材としての機能とを果たすものである。
【００３３】
以上に説明した第２の実施の形態の構成でも、第１の実施の形態の構成と同様に、嵌合凹部１８及び嵌合凸部２０の形状を円錐台の形状とせずに四角錐台の形状としてもよい。更に、ゴム材８０〜８４は嵌合凹部１８の側に貼着してあるが、それらゴム材８０〜８４を嵌合凸部２０の側に貼着するようにしてもよく、また、嵌合凹部１８と嵌合凸部２０の両方に夫々ゴム材を貼着するようにしてもよい。更に、ゴム材８０〜８２に替えて、ゴム以外の適当な材料で形成した部材を使用するようにしてもよい。
【００３４】
以上に説明した実施の形態は多くの特徴を備えたものであるが、本発明はそれら特徴の全てを備えたものに限定されず、それら特徴のうちの幾つかだけを備えたものも本発明に包含され、本発明の範囲は特許請求の範囲に記載により定められるものである。また、以上に説明した特徴は、以上に例示した以外の様々な組合せとして利用することも可能である。その具体例として、図７及び図８に、本発明の第３及び第４の実施の形態に係る基礎構造を採用した基礎９０、９２を断面側面図で示した。
【００３５】
図７及び図８に示した基礎９０、９２は、第１及び第２の実施の形態に係る基礎１０、１０’と同様に、杭１２とフーチング１４とを備えた杭基礎であり、嵌合凹部１８と嵌合凸部２０とを嵌合させて、杭１２とフーチング１４とを縁切りした構成のものである。特に、図７に示した第３の実施の形態に係る基礎９０は、第１の実施の形態の基礎１０に用いられている凹部画成用鋼製部材２４及び凸部画成用鋼製部材３２を使用し、それに、第２の実施の形態の基礎１０’に用いられている第１のゴム材８０及び第２のゴム材８２を組合せたものである。また、図８に示した第４の実施の形態に係る基礎９２は、第２の実施の形態の基礎１０’に用いられている凹部画成用鋼製部材５０及び凸部画成用鋼製部材６２を使用し、それに、第１の実施の形態の基礎１０に用いられている第１のゴム材８及び第３のゴム材８４、砕石層４４、及び区画材４８を組合せたものである。更に、これら以外の様々な組合せとすることも可能である。
【図面の簡単な説明】
【００３６】
【図１】本発明の第１の実施の形態にかかる建物の基礎構造を採用した基礎の平面図である。
【図２】図１の基礎の断面側面図であってフーチングが杭頭に着座している状態を示した図である。
【図３】図１の基礎の断面側面図であってフーチングが杭頭から浮き上がった状態を示した図である。
【図４】本発明の第２の実施の形態にかかる建物の基礎構造を採用した基礎の平面図である。
【図５】図４の基礎の断面側面図であってフーチングが杭頭に着座している状態を示した図である。
【図６】図４の基礎の断面側面図であってフーチングが杭頭から浮き上がった状態を示した図である。
【図７】本発明の第３の実施の形態にかかる建物の基礎構造を採用した基礎の断面側面図である。
【図８】本発明の第４の実施の形態にかかる建物の基礎構造を採用した基礎の断面側面図である。
【符号の説明】
【００３７】
１０……基礎、１０’……基礎、１２……杭、１４……フーチング、１６……柱、１８……嵌合凹部、２０……嵌合凸部、２４……凹部画成用鋼製部材、３０……スタッドボルト、３２……凸部画成用鋼製部材、３８……棒状鋼材、４０……ゴム材、４２……クリアランス、４４……砕石層、４８……区画材、５０……凹部画成用鋼製部材、６０……スタッドボルト、６２……凸部画成用鋼製部材、７４……スタッドボルト、８０……第１のゴム材、８２……第２のゴム材、８４……第３のゴム材、９０……基礎、９２……基礎。
【図１】
2005200876.tif 000003
【図２】
2005200876.tif 000004
【図３】
2005200876.tif 000005
【図４】
2005200876.tif 000006
【図５】
2005200876.tif 000007
【図６】
2005200876.tif 000008
【図７】
2005200876.tif 000009
【図８】
2005200876.tif 000010